(57)【要約】【課題】画面に応じて表示装置側の処理だけで表示画質を変更する。【解決手段】カラーピクチャー／モノクロピクチャー判別回路１０は画面中にカラーピクチャーを含むか否か、モノクロピクチャーを含むか否かを判別し、マイクロプロセッサ７はカラーピクチャーを含むと判別された場合とカラーピクチャーを含まずモノクロピクチャーを含むと判別された場合と両ピクチャーを含まないと判別された場合とで輝度、色温度、ガンマ特性を変えて表示画質を変える。【効果】例えば、花のような自然物をカラー撮影した画像を含む画面を表示するのに適したカラーピクチャー表示画質と、Ｘ線画像を表示するのに適したモノクロピクチャー表示画質と、エディタで作成されたテキスト画面を表示するのに適したテキスト表示画質とを自動的に切り替えることが出来る。【選択図】図１
2006126528.tif 000002
【特許請求の範囲】
【請求項１】
映像信号に基づいて映像を表示する際に、映像信号の１画面中にピクチャーを含むか否かを判別し、ピクチャーを含むと判別した場合とピクチャーを含まないと判別した場合とで表示画質を変えることを特徴とする表示画質制御方法。
【請求項２】
映像信号に基づいて映像を表示する際に、映像信号の１画面中にカラーピクチャーを含むか否かを判別し、カラーピクチャーを含むと判別した場合とカラーピクチャーを含まないと判別した場合とで表示画質を変えることを特徴とする表示画質制御方法。
【請求項３】
映像信号に基づいて映像を表示する際に、映像信号の１画面中にモノクロピクチャーを含むか否かを判別し、モノクロピクチャーを含むと判別した場合とモノクロピクチャーを含まないと判別した場合とで表示画質を変えることを特徴とする表示画質制御方法。
【請求項４】
映像信号に基づいて映像を表示する際に、映像信号の１画面中にカラーピクチャーを含むか、モノクロピクチャーを含むか、両者を含まないかを判別し、カラーピクチャーを含むと判別した場合とカラーピクチャーを含まず且つモノクロピクチャーを含むと判別した場合と両者を含まないと判別した場合とで表示画質を変えることを特徴とする表示画質制御方法。
【請求項５】
請求項１から請求項４のいずれかに記載の表示画質制御方法において、表示画質を変えるために、輝度、色温度、ガンマ特性のうちの少なくとも一つを変えることを特徴とする表示画質制御方法。
【請求項６】
請求項１から請求項５のいずれかに記載の表示画質制御方法において、映像信号の１画面を構成する全部または一部の表示画素の色に指定色でない色を含むか否かを判別し、指定色でない色を含むと判別した場合の輝度と指定色でない色を含まないと判別した場合の輝度とを変えることを特徴とする表示画質制御方法。
【請求項７】
入力された映像信号に基づいて映像を表示する表示装置において、入力された映像信号の１画面中にピクチャーを含むか否かを判別するピクチャー判別手段と、前記ピクチャー判別手段でピクチャーを含むと判別した場合とピクチャーを含まないと判別した場合とで表示画質を変える表示画質変更手段とを具備したことを特徴とする表示装置。
【請求項８】
入力された映像信号に基づいて映像を表示する表示装置において、入力された映像信号の１画面中にカラーピクチャーを含むか否かを判別するピクチャー判別手段と、前記ピクチャー判別手段でカラーピクチャーを含むと判別した場合とカラーピクチャーを含まないと判別した場合とで表示画質を変える表示画質変更手段とを具備したことを特徴とする表示装置。
【請求項９】
入力された映像信号に基づいて映像を表示する表示装置において、入力された映像信号の１画面中にモノクロピクチャーを含むか否かを判別するピクチャー判別手段と、前記ピクチャー判別手段でモノクロピクチャーを含むと判別した場合とモノクロピクチャーを含まないと判別した場合とで表示画質を変える表示画質変更手段とを具備したことを特徴とする表示装置。
【請求項１０】
入力された映像信号に基づいて映像を表示する表示装置において、入力された映像信号の１画面中にカラーピクチャーを含むか、モノクロピクチャーを含むか、両者を含まないかを判別するピクチャー判別手段と、前記ピクチャー判別手段でカラーピクチャーを含むと判別した場合とカラーピクチャーを含まず且つモノクロピクチャーを含むと判別した場合と両者を含まないと判別した場合とで表示画質を変える表示画質変更手段とを具備したことを特徴とする表示装置。
【請求項１１】
請求項７から請求項１０のいずれかに記載の表示装置において、前記表示画質変更手段は、表示画質を変えるために、輝度、色温度、ガンマ特性のうちの少なくとも一つを変えることを特徴とする表示装置。
【請求項１２】
請求項７から請求項１１のいずれかに記載の表示装置において、映像信号の１画面を構成する全部または一部の表示画素の色に指定色でない色を含むか否かを判別する指定色判別手段と、前記指定色判別手段で指定色でない色を含むと判別した場合と指定色でない色を含まないと判別した場合とで輝度を変える輝度変更手段とを具備したことを特徴とする表示装置。
【発明の詳細な説明】
【技術分野】
【０００１】
本発明は、表示画質制御方法および表示装置に関し、さらに詳しくは、表示すべき画面に応じて表示装置側の処理だけで表示画質を変更することが出来る表示画質制御方法および表示装置に関する。
【背景技術】
【０００２】
従来、ホストコンピュータがアプリケーションや画像ファイルに応じた表示画質制御信号を通信によって表示装置に送り、その表示画質制御信号を受け取った表示装置が表示画質を変更する技術が知られている（例えば、特許文献１、特許文献２参照。）。
【特許文献１】特開２００２−３４１８４３号公報
【特許文献２】特開２００３−３３７５８１号公報
【発明の開示】
【発明が解決しようとする課題】
【０００３】
上記従来技術では、表示画質を変更するためには、ホストコンピュータ側での表示画質決定処理と通信処理および表示装置側での通信処理と表示画質変更処理が必要になり、表示装置側だけでは対応できない問題点がある。
そこで、本発明の目的は、表示すべき画面に応じて表示装置側の処理だけで表示画質を変更することが出来る表示画質制御方法および表示装置を提供することにある。
【課題を解決するための手段】
【０００４】
第１の観点では、本発明は、映像信号に基づいて映像を表示する際に、映像信号の１画面中にピクチャーを含むか否かを判別し、ピクチャーを含むと判別した場合とピクチャーを含まないと判別した場合とで表示画質を変えることを特徴とする表示画質制御方法を提供する。
上記構成において、ピクチャーとは、隣接する画素との画素値に小さな差がある画素が二次元的に広がっているような画像（画素値が二次元的に滑らかに変化している画像）を意味する。例えば、人物、人体、花のような自然物を撮影した画像である。これに対して、例えば、エディタで作成されたテキスト画面は、ピクチャーではない。
上記第１の観点による表示画質制御方法では、映像信号の１画面中にピクチャーを含むか否かを判別して自動的に表示画質を変えることにより、ピクチャーを含む画像を表示するのに適した表示画質と、ピクチャーを含まない画像を表示するのに適した表示画質とを、表示装置側の処理だけで切り替えることが出来る。
【０００５】
第２の観点では、本発明は、映像信号に基づいて映像を表示する際に、映像信号の１画面中にカラーピクチャーを含むか否かを判別し、カラーピクチャーを含むと判別した場合とカラーピクチャーを含まないと判別した場合とで表示画質を変えることを特徴とする表示画質制御方法を提供する。
上記構成において、カラーピクチャーとは、隣接する画素との画素値に小さな差があり且つＲ（赤の画素値）＝Ｇ（緑の画素値）＝Ｂ（青の画素値）でない画素が二次元的に広がっているような画像（モノクロでない画素値が二次元的に滑らかに変化している画像）を意味する。例えば、人物、人体、花のような自然物をカラー撮影した画像である。これに対して、例えば、エディタで作成されたテキスト画面やＸ線画像は、カラーピクチャーではない。
上記第２の観点による表示画質制御方法では、映像信号の１画面中にカラーピクチャーを含むか否かを判別して自動的に表示画質を変えることにより、表示装置側の処理だけで、カラーピクチャーを含む画像を表示するのに適した表示画質と、カラーピクチャーを含まない画像を表示するのに適した表示画質とを、表示装置側の処理だけで切り替えることが出来る。
【０００６】
第３の観点では、本発明は、映像信号に基づいて映像を表示する際に、映像信号の１画面中にモノクロピクチャーを含むか否かを判別し、モノクロピクチャーを含むと判別した場合とモノクロピクチャーを含まないと判別した場合とで表示画質を変えることを特徴とする表示画質制御方法を提供する。
上記構成において、モノクロピクチャーとは、隣接する画素との画素値に小さな差があり且つＲ（赤の画素値）＝Ｇ（緑の画素値）＝Ｂ（青の画素値）である画素が二次元的に広がっているような画像（モノクロである画素値が二次元的に滑らかに変化している画像）を意味する。例えば、人物、人体、花のような自然物をモノクロ撮影した画像やＸ線画像である。これに対して、例えば、人物、人体、花のような自然物をカラー撮影した画像やエディタで作成されたテキスト画面は、モノクロピクチャーではない。
上記第３の観点による表示画質制御方法では、映像信号の１画面中にモノクロピクチャーを含むか否かを判別して自動的に表示画質を変えることにより、表示装置側の処理だけで、モノクロピクチャーを含む画像を表示するのに適した表示画質と、モノクロピクチャーを含まない画像を表示するのに適した表示画質とを、表示装置側の処理だけで切り替えることが出来る。
【０００７】
第４の観点では、本発明は、映像信号に基づいて映像を表示する際に、映像信号の１画面中にカラーピクチャーを含むか、モノクロピクチャーを含むか、両者を含まないかを判別し、カラーピクチャーを含むと判別した場合とカラーピクチャーを含まず且つモノクロピクチャーを含むと判別した場合と両者を含まないと判別した場合とで表示画質を変えることを特徴とする表示画質制御方法を提供する。
上記構成において、カラーピクチャーとは、隣接する画素との画素値に小さな差があり且つＲ（赤の画素値）＝Ｇ（緑の画素値）＝Ｂ（青の画素値）でない画素が二次元的に広がっているような画像（モノクロでない画素値が二次元的に滑らかに変化している画像）を意味する。例えば、人物、人体、花のような自然物をカラー撮影した画像である。また、モノクロピクチャーとは、隣接する画素との画素値に小さな差があり且つＲ（赤の画素値）＝Ｇ（緑の画素値）＝Ｂ（青の画素値）である画素が二次元的に広がっているような画像（モノクロである画素値が二次元的に滑らかに変化している画像）を意味する。例えば、人物、人体、花のような自然物をモノクロ撮影した画像やＸ線画像である。これに対して、例えば、エディタで作成されたテキスト画面は、カラーピクチャーでもモノクロピクチャーでもない。
上記第４の観点による表示画質制御方法では、映像信号の１画面中にカラーピクチャーを含むか、モノクロピクチャーを含むか、両者を含まないかを判別して自動的に表示画質を変えることにより、表示装置側の処理だけで、カラーピクチャーを含む画像を表示するのに適した表示画質と、モノクロピクチャーを含む画像を表示するのに適した表示画質と、カラーピクチャーもモノクロピクチャーも含まない画像を表示するのに適した表示画質とを、表示装置側の処理だけで切り替えることが出来る。
【０００８】
第５の観点では、本発明は、上記第１から上記第４のいずれかの観点による表示画質制御方法において、表示画質を変えるために、輝度、色温度、ガンマ特性のうちの少なくとも一つを変えることを特徴とする表示画質制御方法を提供する。
表示画質は、輝度、色温度、ガンマ特性のうちの少なくとも一つを変えることにより、変更できる。
【０００９】
第６の観点では、本発明は、上記第１から上記第５のいずれかの観点による表示画質制御方法において、映像信号の１画面を構成する全部または一部の表示画素の色に指定色でない色を含むか否かを判別し、指定色でない色を含むと判別した場合の輝度と指定色でない色を含まないと判別した場合の輝度とを変えることを特徴とする表示画質制御方法を提供する。
上記構成において、色には、グレースケールの階調値を含む。
上記第６の観点による表示画質制御方法では、例えば、スクリーンセーバ画面で使用される全ての色を指定色として指定しておき、映像信号の１画面を構成する全表示画素の色に指定色でない色を含む場合は通常表示のために設定されている輝度とし、指定色でない色を含まないと判別した場合は通常の表示輝度より低減した表示輝度とすることにより、表示装置側の処理だけでスクリーンセーバ時の消費電力を節減することが出来る。
【００１０】
第７の観点では、本発明は、入力された映像信号に基づいて映像を表示する表示装置において、入力された映像信号の１画面中にピクチャーを含むか否かを判別するピクチャー判別手段と、前記ピクチャー判別手段でピクチャーを含むと判別した場合とピクチャーを含まないと判別した場合とで表示画質を変える表示画質変更手段とを具備したことを特徴とする表示装置を提供する。
上記第７の観点による表示装置では、前記第１の観点による表示画質制御方法を好適に実施できる。
なお、表示デバイスは、液晶パネルでもＣＲＴでもよい。
【００１１】
第８の観点では、本発明は、入力された映像信号に基づいて映像を表示する表示装置において、入力された映像信号の１画面中にカラーピクチャーを含むか否かを判別するピクチャー判別手段と、前記ピクチャー判別手段でカラーピクチャーを含むと判別した場合とカラーピクチャーを含まないと判別した場合とで表示画質を変える表示画質変更手段とを具備したことを特徴とする表示装置を提供する。
上記第８の観点による表示装置では、前記第２の観点による表示画質制御方法を好適に実施できる。
【００１２】
第９の観点では、本発明は、入力された映像信号に基づいて映像を表示する表示装置において、入力された映像信号の１画面中にモノクロピクチャーを含むか否かを判別するピクチャー判別手段と、前記ピクチャー判別手段でモノクロピクチャーを含むと判別した場合とモノクロピクチャーを含まないと判別した場合とで表示画質を変える表示画質変更手段とを具備したことを特徴とする表示装置を提供する。
上記第９の観点による表示装置では、前記第３の観点による表示画質制御方法を好適に実施できる。
【００１３】
第１０の観点では、本発明は、入力された映像信号に基づいて映像を表示する表示装置において、入力された映像信号の１画面中にカラーピクチャーを含むか、モノクロピクチャーを含むか、両者を含まないかを判別するピクチャー判別手段と、前記ピクチャー判別手段でカラーピクチャーを含むと判別した場合とカラーピクチャーを含まず且つモノクロピクチャーを含むと判別した場合と両者を含まないと判別した場合とで表示画質を変える表示画質変更手段とを具備したことを特徴とする表示装置を提供する。
上記第１０の観点による表示装置では、前記第４の観点による表示画質制御方法を好適に実施できる。
【００１４】
第１１の観点では、本発明は、上記第７から上記第１０のいずれかの観点による表示装置において、前記表示画質変更手段は、表示画質を変えるために、輝度、色温度、ガンマ特性のうちの少なくとも一つを変えることを特徴とする表示装置を提供する。
上記第１１の観点による表示装置では、前記第５の観点による表示画質制御方法を好適に実施できる。
【００１５】
第１２の観点では、本発明は、上記第７から上記第１１のいずれかの観点による表示装置において、映像信号の１画面を構成する全部または一部の表示画素の色に指定色でない色を含むか否かを判別する指定色判別手段と、前記指定色判別手段で指定色でない色を含むと判別した場合と指定色でない色を含まないと判別した場合とで輝度を変える輝度変更手段とを具備したことを特徴とする表示装置を提供する。
上記第１２の観点による表示装置では、前記第６の観点による表示画質制御方法を好適に実施できる。
【発明の効果】
【００１６】
本発明の表示画質制御方法および表示装置によれば、表示すべき画面に応じて表示装置側の処理だけで表示画質を変更することが出来る。
【発明を実施するための最良の形態】
【００１７】
以下、図に示す実施例により本発明をさらに詳細に説明する。なお、これにより本発明が限定されるものではない。
【実施例１】
【００１８】
図１は、実施例１に係る液晶表示装置１００を示すブロック図である。
この液晶表示装置１００は、液晶パネル１と、バックライト２と、バックライト２を駆動するインバータ３と、ホストコンピュータＰＣからの表示信号ｄを入力するためのコネクタ４およびＤＶＩ（Digital Visual Interface）レシーバ５と、ＤＶＩレシーバ５から出力される映像信号や制御信号を基に液晶パネル１を駆動して映像を表示する画像処理部６と、ＤＶＩレシーバ５から出力される映像信号や制御信号を基に１画面中にカラーピクチャーやモノクロピクチャーを含むか否かを判別するカラーピクチャー／モノクロピクチャー判別回路１０と、ＤＶＩレシーバ５から出力される映像信号や制御信号を基に１画面を構成する全表示画素の色に指定色でない色を含むか否かを判別する指定色判別回路２０と、ＤＶＩレシーバ５から出力される制御信号およびカラーピクチャー／モノクロピクチャー判別回路１０から出力される判別信号および指定色判別回路２０から出力される判別信号を基にインバータ３や画像処理部６を制御するマイクロプロセッサ７とを具備している。
【００１９】
画像処理部６は、色温度調整用画素値変換部６１と、ガンマ特性調整用画素値変換部６２とを有している。
【００２０】
なお、カラーピクチャー／モノクロピクチャー判別回路１０および指定色判別回路２０以外のハードウエアは、従来の液晶表示装置が元々備えているものである。
【００２１】
図２は、実施例１に係るカラーピクチャー／モノクロピクチャー判別回路１０を示す回路図である。また、図３は、図２の各部の信号を示すタイミングチャートである。
【００２２】
図３に示すように、一つのラインの開始前に水平同期信号Ｈ-SYNC がパルス状に「１」になり、表示期間中はデータイネーブル信号ＤＥが「１」になり、一つのラインの左端画素のＲ，Ｇ，Ｂの各画素値ｄ０から右端画素のＲ，Ｇ，Ｂの各画素値ｄｎまでが順にピクセルクロック信号CLOCK に合わせて入力されている。
【００２３】
カラーピクチャー／モノクロピクチャー判別回路１０は、次の判別条件により、１画面中にカラーピクチャーを含むか否か及びモノクロピクチャーを含むか否かを判別している。
（１）現在画素（現在入力中の画素）のＧの上位５ビットｂが左隣接画素（１クロック前に入力された画素）のＧの上位５ビットと同一値であり且つ現在画素のＲの最上位ビットが左隣接画素のＲの最上位ビットと同一値であり且つ現在画素のＢの最上位ビットが左隣接画素のＢの最上位ビットと同一値であり（Ａ１＝１）且つ現在画素のＧの下位３ビットが左隣接画素のＧの下位３ビットと同一値でない（Ａ２＝１）なら、現在画素がピクチャー要素であると判定する（ｇ＝１）。そうでなければ、現在画素が非ピクチャー要素であると判定する（ｇ＝０）。
（２）現在画素の画素値でＲ＝Ｇ＝Ｂであれば（Ａ３＝０）、現在画素がモノクロ画素であると判定する（ｊ＝０）。Ｒ＝Ｇ＝Ｂでないなら（Ａ３＝１）、現在画素がカラー画素であると判定する（ｊ＝１）。
（３）一つのラインにピクチャー要素（ｇ＝１）であり且つモノクロ画素（ｊ＝０）である画素を２（この値は単なる例示である）個以上含むモノクロピクチャーライン（Ｃ１＝１）が、間に非モノクロピクチャーラインを４（この値は単なる例示である）本以上挟まないで（Ｃ２＝０）、１２８（この値は単なる例示である）本続くなら（Ｃ３＝１）、モノクロピクチャーを含むと判定する（Ｃ＝１）。そうでなければモノクロピクチャーを含まないと判定する（Ｃ＝０）。なお、例えば、モノクロピクチャーライン（Ｃ１＝１）が、間に非モノクロピクチャーラインを４本以上挟まないで（Ｃ２＝０）、９４本続くようなモノクロサムネイル画像はモノクロピクチャーとみなされない。
（４）一つのラインにピクチャー要素（ｇ＝１）であり且つカラー画素（ｊ＝１）である画素を２（この値は単なる例示である）個以上含むカラーピクチャーライン（Ｄ１＝１）が、間に非カラーピクチャーラインを２（この値は単なる例示である）本以上挟まないで（Ｄ２＝０）、１２８本（この値は単なる例示である）続くなら（Ｄ３＝１）、カラーピクチャーを含むと判定する（Ｄ＝１）。そうでなければカラーピクチャーを含まないと判定する（Ｄ＝０）。なお、例えば、カラーピクチャーライン（Ｄ１＝１）が、間に非カラーピクチャーラインを２本以上挟まないで（Ｄ２＝０）、９４本続くようなカラーサムネイル画像はカラーピクチャーとみなされない。
【００２４】
図４は、実施例１に係る指定色判別回路２０を示す回路図である。
指定色デコーダ２１は、第１出力Ｅ１，第２出力Ｅ２および第３出力Ｅ３を有する。そして、画素の色が「黒」の場合に第１出力Ｅ１を「０」とし、画素の色が「黒」でない場合に第１出力Ｅ１を「１」とする。また、画素の色が「白」の場合に第２出力Ｅ２を「０」とし、画素の色が「白」でない場合に第２出力Ｅ２を「１」とする。さらに、画素の色が「黒」「赤」「緑」「黄」「青」「マゼンタ」「シアン」または「白」の場合に第３出力Ｅ３を「０」とし、画素の色が「黒」「赤」「緑」「黄」「青」「マゼンタ」「シアン」または「白」でない場合に第３出力Ｅ３を「１」とする。
【００２５】
ＡＮＤゲート２２は、データイネーブル信号ＤＥが「１」である場合にピクセルクロック信号CLOCK を通過させ、データイネーブル信号ＤＥが「０」である場合にピクセルクロック信号CLOCK を止める。
信号ｍは、１画面（フレーム）の開始前に垂直同期信号Ｖ-SYNC がパルス状に「１」になった後のピクセルクロック信号CLOCK の立下りで「１」になり、垂直同期信号Ｖ-SYNC が「０」に戻った後のピクセルクロック信号CLOCK の立下りで「０」になる。
【００２６】
Ｄフリップフロップ２３は、信号ｍが「１」になると出力Ｑを「０」にする。また、ＡＮＤゲート２２を通過してきたピクセルクロック信号CLOCK の立下りで指定色デコーダ２１の出力Ｅ１を読み込んで出力する。従って、画素の色が「黒」の場合に出力Ｑを「０」とし、画素の色が「黒」でない場合に出力Ｑを「１」にする。
Ｄフリップフロップ２４は、信号ｍが「１」になると出力Ｑを「０」にする。また、ＡＮＤゲート２２を通過してきたピクセルクロック信号CLOCK の立下りで指定色デコーダ２１の出力Ｅ２を読み込んで出力する。従って、画素の色が「白」の場合に出力Ｑを「０」とし、画素の色が「白」でない場合に出力Ｑを「１」にする。
Ｄフリップフロップ２５は、信号ｍが「１」になると出力Ｑを「０」にする。また、ＡＮＤゲート２２を通過してきたピクセルクロック信号CLOCK の立下りで指定色デコーダ２１の出力Ｅ３を読み込んで出力する。従って、画素の色が「黒」「赤」「緑」「黄」「青」「マゼンタ」「シアン」または「白」の場合に出力Ｑを「０」とし、画素の色が「黒」「赤」「緑」「黄」「青」「マゼンタ」「シアン」または「白」でない場合に出力Ｑを「１」にする。
【００２７】
Ｄフリップフロップ２６は、信号ｍが「１」になると出力Ｑを「０」にする。また、Ｄフリップフロップ２３の出力Ｑの立上りで出力Ｑを「１」にする。つまり、１画面が始まる直前に出力Ｑを「０」にし、１画面を構成する全表示画素の色に「黒」でない色を全く含まない場合は出力Ｑを「０」に維持し、１画面を構成する全表示画素の色に「黒」でない色を１画素でも含む場合は出力Ｑを「１」に変更する。
Ｄフリップフロップ２７は、信号ｍが「１」になると出力Ｑを「０」にする。また、Ｄフリップフロップ２４の出力Ｑの立上りで出力Ｑを「１」にする。つまり、１画面が始まる直前に出力Ｑを「０」にし、１画面を構成する全表示画素の色に「白」でない色を全く含まない場合は出力Ｑを「０」に維持し、１画面を構成する全表示画素の色に「白」でない色を１画素でも含む場合は出力Ｑを「１」に変更する。
Ｄフリップフロップ２８は、信号ｍが「１」になると出力Ｑを「０」にする。また、Ｄフリップフロップ２５の出力Ｑの立上りで出力Ｑを「１」にする。つまり、１画面が始まる直前に出力Ｑを「０」にし、１画面を構成する全表示画素の色に「黒」「赤」「緑」「黄」「青」「マゼンタ」「シアン」または「白」でない色を全く含まない場合は出力Ｑを「０」に維持し、１画面を構成する全表示画素の色に「黒」「赤」「緑」「黄」「青」「マゼンタ」「シアン」または「白」でない色を１画素でも含む場合は出力Ｑを「１」に変更する。
【００２８】
Ｄフリップフロップ２９は、垂直同期信号Ｖ-SYNC の立上りでＤフリップフロップ２６の出力Ｑを読み込んで保持する。
Ｄフリップフロップ３０は、垂直同期信号Ｖ-SYNC の立上りでＤフリップフロップ２７の出力Ｑを読み込んで保持する。
Ｄフリップフロップ３１は、垂直同期信号Ｖ-SYNC の立上りでＤフリップフロップ２８の出力Ｑを読み込んで保持する。
【００２９】
結局のところ、指定色判別回路２０は、一つの画面を構成する全表示画素の色に「黒」でない色を含む場合は黒ベタ判別信号Ｆ１として「１」を次の画面中出力し、「黒」でない色を全く含まないと判別した場合は黒ベタ判別信号Ｆ１として「０」を次の画面中出力する。また、一つの画面を構成する全表示画素の色に「白」でない色を含む場合は白ベタ判別信号Ｆ２として「１」を次の画面中出力し、「白」でない色を全く含まないと判別した場合は白ベタ判別信号Ｆ２として「０」を次の画面中出力する。さらに、一つの画面を構成する全表示画素の色に「黒」「赤」「緑」「黄」「青」「マゼンタ」「シアン」または「白」でない色を含む場合は指定色判別信号Ｆ３として「１」を次の画面中出力し、「黒」「赤」「緑」「黄」「青」「マゼンタ」「シアン」または「白」でない色を全く含まないと判別した場合は指定色判別信号Ｆ３として「０」を次の画面中出力する。
【００３０】
図５は、マイクロプロセッサ７により実行される表示モード制御処理を示すフロー図である。
ステップＳ１では、ＤＶＩレシーバ５から垂直同期信号Ｖ-SYNC（または水平同期信号Ｈ-SYNC）が入力されていないかチェックし、入力されていないならステップＳ２へ進み、入力されているならステップＳ３へ進む。
【００３１】
ステップＳ２では、インバータ３を止め、バックライト２をオフにする。そして、ステップＳ１に戻る。つまり、ホストコンピュータＰＣから表示信号ｄが入力されていないときは表示をオフにする（無信号非表示モード）。
【００３２】
ステップＳ３では、カラーピクチャー／モノクロピクチャー判別回路１０からの判別信号Ｄが「１」（カラーピクチャーを含む）かチェックし、「１」ならステップＳ４へ進み、「０」（カラーピクチャーを含まない）ならステップＳ５へ進む。
【００３３】
ステップＳ４では、やや高い出力になるようにインバータ３を動作させてバックライト２を中輝度にし、画像処理回路６の色温度調整用画素値変換部６１に色温度「６５００Ｋ」を指示し、さらに画像処理回路６のガンマ特性調整用画素値変換部６２にガンマ補正「γ２.２」を指示する（カラーピクチャー表示モード）。そして、ステップＳ１に戻る。
【００３４】
ステップＳ５では、カラーピクチャー／モノクロピクチャー判別回路１０からの判別信号Ｃが「１」（モノクロピクチャーを含む）かチェックし、「１」ならステップＳ６へ進み、「０」（モノクロピクチャーを含まない）ならステップＳ７へ進む。
【００３５】
ステップＳ６では、高い出力になるようにインバータ３を動作させてバックライト２を高輝度にし、画像処理回路６の色温度調整用画素値変換部６１に色温度「７５００Ｋ」を指示し、さらに画像処理回路６のガンマ特性調整用画素値変換部６２にガンマ補正「DICOM-γ」を指示する（モノクロピクチャー表示モード）。そして、ステップＳ１に戻る。
【００３６】
ステップＳ７では、指定色判別回路２０からの黒ベタ判別信号Ｆ１が「０」（黒ベタ画面）かチェックし、「０」ならステップＳ８へ進み、「１」ならステップＳ９へ進む。
【００３７】
ステップＳ８では、インバータ３を止め、バックライト２をオフにする。そして、ステップＳ１に戻る。つまり、ホストコンピュータＰＣから全画素が「黒」の画面が入力されているときは表示をオフにする（黒ベタ非表示モード）。
【００３８】
ステップＳ９では、指定色判別回路２０からの白ベタ判別信号Ｆ２が「０」（白ベタ画面）かチェックし、「０」ならステップＳ１０へ進み、「１」ならステップＳ１１へ進む。
【００３９】
ステップＳ１０では、最も高い出力になるようにインバータ３を動作させ、バックライト２を最高輝度にする。そして、ステップＳ１に戻る。つまり、ホストコンピュータＰＣから全画素が「白」の画面が入力されているときは画面を最も明るくする（白ベタ高輝度モード）。これにより、図６に示すように、液晶パネル１の上に置いたフィルムはさみＰでフィルムＦ１，Ｆ２を挟んで液晶パネル１の画面上に保持すれば、白画面Ｇｗをシャウカステン用スクリーンとして好適に利用することが出来る。
【００４０】
ステップＳ１１では、指定色判別回路２０からの指定色判別信号Ｆ３が「０」かチェックし、「０」ならステップＳ１２へ進み、「１」ならステップＳ１３へ進む。
【００４１】
ステップＳ１２では、極く低い出力になるようにインバータ３を動作させ、バックライト２を極低輝度にする。そして、ステップＳ１に戻る。つまり、ホストコンピュータＰＣから表示信号ｄとして図７に示す如きカラーバー画面ＣＢが入力されているときは画面を暗くする（節電表示モード）。
【００４２】
ステップＳ１３では、やや低い出力になるようにインバータ３を動作させてバックライト２を低輝度にし、画像処理回路６の色温度調整用画素値変換部６１に「無補正」を指示し、さらに画像処理回路６のガンマ特性調整用画素値変換部６２にガンマ補正「γ２.２」を指示する（テキスト表示モード）。そして、ステップＳ１に戻る。
【００４３】
実施例１の液晶表示装置１００によれば、表示すべき画面に応じて表示装置側の処理だけで表示画質を変更することが出来る。例えば、表示装置側の処理だけで、人物，人体，花のような自然物をカラー撮影した画像を含む画面を表示するのに適したカラーピクチャー表示画質と、Ｘ線画像を表示するのに適したモノクロピクチャー表示画質と、エディタで作成されたテキスト画面を表示するのに適したテキスト表示画質とを自動的に切り替えることが出来る。また、表示装置側の処理だけで、黒ベタ画面時の節電を行うことが出来る。また、表示装置側の処理だけで、白ベタ画面時の輝度アップを行うことが出来る。さらに、表示装置側の処理だけで、スクリーンセーバ時やテレビ放送がカラーバー画面ＣＢを送信しているときの消費電力を節減することが出来る。
【実施例２】
【００４４】
図８に示すような指定色判別回路２０を用いると、図５のステップＳ７〜Ｓ１０をスキップさせることが出来る。
【実施例３】
【００４５】
図９に示すような指定色判別回路２０を用いると、図５のステップＳ７〜Ｓ１２をスキップさせることが出来る。
【実施例４】
【００４６】
本発明は、ＣＲＴ表示装置にも適用できる。その場合、バックライト２の制御の代わりに、輝度レベルを制御すればよい。
【産業上の利用可能性】
【００４７】
本発明の表示画質制御方法および表示装置は、液晶表示装置やＣＲＴ表示装置に利用することが出来る。
【図面の簡単な説明】
【００４８】
【図１】実施例１に係る液晶表示装置を示す構成図である。
【図２】実施例１に係るカラーピクチャー／モノクロピクチャー判別回路を示す回路図である。
【図３】実施例１に係るカラーピクチャー／モノクロピクチャー判別回路の各部の信号を示すタイミングチャートである。
【図４】実施例１に係る指定色判別回路を示す回路図である。
【図５】実施例１に係る表示画質制御処理を示すフロー図である。
【図６】白ベタ画面の例示図である。
【図７】カラーバー画面の例示図である。
【図８】実施例２に係る指定色判別回路を示す回路図である。
【図９】実施例３に係る指定色判別回路を示す回路図である。
【符号の説明】
【００４９】
１                    液晶パネル
２                    バックライト
３                    インバータ
６                    画像処理回路
７                    マイクロプロセッサ
１０                  カラーピクチャー／モノクロピクチャー判別回路
２０                  指定色判別回路
６１                  色温度調整用画素値変換部
６２                  ガンマ特性調整用画素値変換部
１００                液晶表示装置
【図１】
2006126528.tif 000003
【図２】
2006126528.tif 000004
【図３】
2006126528.tif 000005
【図４】
2006126528.tif 000006
【図５】
2006126528.tif 000007
【図６】
2006126528.tif 000008
【図７】
2006126528.tif 000009
【図８】
2006126528.tif 000010
【図９】
2006126528.tif 000011